【手続補正書】
【提出日】平成24年7月30日(2012.7.30)
【手続補正１】
【補正対象書類名】特許請求の範囲
【補正対象項目名】全文
【補正方法】変更
【補正の内容】
【特許請求の範囲】
【請求項１】
入力装置からの入力と対応する入力管理情報を生成するように前記コンピュータを機能させるオペレーティングシステムと、商品情報及び顧客情報に基づく商品管理、売上げ管理及び顧客管理の各処理を前記コンピュータに実行させる会計管理アプリケーションと、前記オペレーティングシステム及び会計管理アプリケーションがインストールされたコンピュータとを有する会計管理システムを補助するシステムであって、
前記コンピュータと接続され、キーが押下されると当該キーに対応したキー入力信号を前記コンピュータに送信するキーボードと、
前記コンピュータと接続されるバーコードリーダと、
前記バーコードリーダによって読み取り可能に形成されたバーコードとを備えており、
前記オペレーティングシステムが、
前記キーボードから前記キー入力信号が送信された場合に、当該キー入力信号に対応する前記入力管理情報を生成するように、前記コンピュータを機能させ、
前記会計管理アプリケーションが、標準配列キーボードから所定のキーによる複数の入力が所定の順序でなされた場合の前記入力管理情報である特定入力管理情報が生成された場合に、商品情報及び顧客情報の少なくともいずれかを入力する状態である情報入力状態へとアプリケーションの実行状態を切り替えるように前記コンピュータを機能させ、
前記商品情報及び前記顧客情報の少なくともいずれかと前記バーコードとが対応付けられており、
前記キーボードのいずれか１つのキーに関する前記キー入力信号と前記特定入力管理情報とが一対一に対応付けられていることを特徴とする会計管理補助システム。
【請求項２】
前記バーコードリーダと前記キーボードとが、互いに一体に構成された入力装置であることを特徴とする請求項１に記載の会計管理補助システム。
【請求項３】
前記入力装置が、さらにポインティングデバイスとしての機能を兼ね備えており、
前記オペレーティングシステムが、前記ポインティングデバイスとしての機能に基づく入力操作を受け付けるように前記コンピュータを機能させることを特徴とする請求項２に記載の会計管理補助システム。
【請求項４】
物体の接触を検知する入力面と当該入力面に重ね合わされた画像表示面とを有する画像表示装置と、
前記画像表示装置に前記キーボードのキー配列に対応するキー画像を表示させると共に、前記画像表示面に表示された前記キー画像に対応する前記入力面上の位置に関して前記画像表示装置が物体の接触を検知した場合に、当該キー画像に対応する前記キーボードのキーに関する前記入力管理情報を生成するように、前記オペレーティングシステムと協働して前記コンピュータを機能させるキーボードアプリケーションとをさらに備えていることを特徴とする請求項１〜３のいずれか１項に記載の会計管理補助システム。
【請求項５】
前記キーボードアプリケーションが、
前記キーボードから前記コンピュータに信号が入力されるのに基づいて、前記画像表示装置に前記キー画像を表示させるように、前記コンピュータを機能させることを特徴とする請求項４に記載の会計管理補助システム。
【請求項６】
画像表示装置を備えており、
前記会計管理アプリケーションが、
複数の前記情報入力状態に対応する複数の情報入力画像の少なくともいずれかを前記画像表示装置に表示させると共に、標準配列キーボードから所定のキーによる１又は複数の入力が所定の順序でなされた場合の前記入力管理情報である表示切替入力管理情報が生成された場合に、一の前記情報入力画像から当該表示切替入力管理情報に対応する他の前記情報入力画像へと前記画像表示装置に表示を切り替えさせるように、前記コンピュータを機能させるものであり、
前記表示切替入力管理情報と切り替え先の前記情報入力画像との対応関係が、切り替え前にいずれの前記情報入力画像を表示した状態であっても共通であり、
前記特定入力管理情報が、前記表示切替入力管理情報を含んでいることを特徴とする請求項１〜５のいずれか１項に記載の会計管理補助システム。
【手続補正２】
【補正対象書類名】明細書
【補正対象項目名】０００６
【補正方法】変更
【補正の内容】
【０００６】
本発明の会計管理補助システムは、入力装置からの入力と対応する入力管理情報を生成するように前記コンピュータを機能させるオペレーティングシステムと、商品情報及び顧客情報に基づく商品管理、売上げ管理及び顧客管理の各処理を前記コンピュータに実行させる会計管理アプリケーションと、前記オペレーティングシステム及び会計管理アプリケーションがインストールされたコンピュータとを有する会計管理システムを補助するシステムであって、前記コンピュータと接続され、キーが押下されると当該キーに対応したキー入力信号を前記コンピュータに送信するキーボードと、前記コンピュータと接続されるバーコードリーダと、前記バーコードリーダによって読み取り可能に形成されたバーコードとを備えており、前記オペレーティングシステムが、前記キーボードから前記キー入力信号が送信された場合に、当該キー入力信号に対応する前記入力管理情報を生成するように、前記コンピュータを機能させ、前記会計管理アプリケーションが、標準配列キーボードから所定のキーによる複数の入力が所定の順序でなされた場合の前記入力管理情報である特定入力管理情報が生成された場合に、商品情報及び顧客情報の少なくともいずれかを入力する状態である情報入力状態へとアプリケーションの実行状態を切り替えるように前記コンピュータを機能させ、前記商品情報及び前記顧客情報の少なくともいずれかと前記バーコードとが対応付けられており、前記キーボードのいずれか１つのキーに関する前記キー入力信号と前記特定入力管理情報とが一対一に対応付けられている。
【手続補正３】
【補正対象書類名】明細書
【補正対象項目名】０００７
【補正方法】変更
【補正の内容】
【０００７】
これにより、キーボードのいずれか１つのキーを押下すると、特定入力管理情報に対応するキー入力信号がキーボードからコンピュータに入力される。つまり、当該キーの押下は、標準配列のキーボードにおいて複数のキーを決められた順番で入力したのと同じ入力管理情報を生成させる。したがって、極めて簡単な操作で、会計管理アプリケーションの実行状態を商品情報又は顧客情報を入力する状態に切り替えることができる。 
【手続補正４】
【補正対象書類名】明細書
【補正対象項目名】０００９
【補正方法】変更
【補正の内容】
【０００９】
さらに、本発明では、商品情報及び顧客情報の少なくともいずれかとバーコードとが関連付けられている。このため、キーボードのいずれかのキーを押して商品情報又は顧客情報を入力する状態にした直後に、バーコードリーダで商品情報や顧客情報を読み取ることができる。つまり、（１）商品情報等を入力する状態に切り替え（２）情報を入力するという一連の処理を、標準配列のキーボードなどの標準の入力装置を用いる場合に比べて、極めて速やか且つ円滑に実行することができる。 
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】